(57)【要約】【課題】木材、石炭、竹材などの被粉砕物を粉体化することができる粉砕機、複数台の粉砕機を用いる粉砕システム及びそれらを用いて被粉砕物を効果的に粉体化する方法を提供する。【解決手段】粉砕機、複数台の粉砕機を用いる粉砕システム及びそれらを用いる粉砕方法において、原料投入口からケーシング内に投入された被粉砕物を第１送り刃で回転させながら第２送り刃方向に送り出し、第２送り刃及び戻し刃で回転と往復動を与えながら粉体化し、取出口からケーシング外へ取り出すようにした。【選択図】図１
2014151222.tif 000002
【特許請求の範囲】
【請求項１】
ケーシング内で長手方向に配設された駆動軸と、当該駆動軸に固設され全体として螺旋状に形成された第１送り刃と、前記駆動軸に固設され全体として螺旋状に形成された複数個の第２送り刃と、前記第２送り刃同士の間で前記第２送り刃と反対方向に被粉砕物を送る角度で固設された複数個の戻し刃と、前記ケーシングに設けられた原料投入口及び取出口とを備え、前記原料投入口から投入された被粉砕物を前記第一送り刃により第２送り刃方向に移動させ前記第２送り刃と前記戻し刃で粉体化し、前記取出口から取り出すことを特徴とする粉砕機。
【請求項２】
更に、前記第１送り刃と前記第２送り刃の境界部分に前記駆動軸に固設された仕切り板を設けたことを特徴とする請求項１記載の粉砕機。
【請求項３】
前記第１送り刃は捩れた円板形の形状になっていることを特徴とする請求項１又は２に記載の粉砕機。
【請求項４】
前記第２送り刃は捩れた羽根形の形状になっており、前記戻し刃は楔形の形状になっていることを特徴とする請求項１乃至３のいずれか１項に記載の粉砕機。
【請求項５】
前記戻し刃が前記複数個の第２送り刃の各間隙に所定の方向へ突き出すようにして前記駆動軸に固設されていることを特徴とする請求項１乃至４のいずれか１項に記載の粉砕機。
【請求項６】
請求項１乃至５のいずれか１項に記載の粉砕機を複数台連結したことを特徴とする粉砕システム。
【請求項７】
請求項６の粉砕システムであって、原料投入口、第１回転刃部、第２回転刃部及び取出口を有する第１粉砕機と、投入口、第３回転刃部、第４回転刃部及び取出口を有する第２粉砕機と、前記第１粉砕機の取出口と前記第２粉砕機の投入口とを連通させる連絡部と、当該連絡部に設けられ前記第１粉砕機の取出口の開閉を行う開閉機構とを具備し、前記第１粉砕機で粉体化された被粉砕物を前記連絡部を介して前記第２粉砕機に導いて微粉化することを特徴とする二連式の粉砕システム。
【請求項８】
更に、前記第１回転刃部と前記第２回転刃部の間に仕切り部を設けたことを特徴とする請求項６又は７記載の粉砕システム。
【請求項９】
更に、前記第３回転刃部と前記第４回転刃部の間に仕切り部を設けたことを特徴とする請求項７乃至８のいずれか１項に記載の粉砕システム。
【請求項１０】
前記第１回転刃部と前記第３回転刃部は、長手方向に配設された駆動軸に固設され全体として螺旋状に形成された複数個の送り刃で構成されていることを特徴とする請求項７乃至９のいずれか１項に記載の粉砕システム。
【請求項１１】
前記第２回転刃部及び／又は前記第４回転刃部は、長軸方向に配設された駆動軸に固設され全体として螺旋状に形成された複数個の送り刃と、それらの送り刃とは反対方向に被粉砕物を送る角度で固設された複数個の戻し刃とから構成されていることを特徴とする請求項７乃至１０のいずれか１項に記載の粉砕システム。
【請求項１２】
前記開閉機構は、覗き窓が設けられた開閉機構本体と、第１粉砕機の取出口を開閉させる蓋と、当該蓋を移動させるためのハンドルと、所定部分にネジが設けられ前記ハンドルの操作に応じて前記蓋を移動させる回転軸とから構成されていることを特徴とする請求項７乃至１１のいずれか１項に記載の粉砕システム。
【請求項１３】
被粉砕物を粉砕機に投入する工程と、第１送り刃で被粉砕物を第２送り刃方向に送り出す工程と、第２送り刃と戻し刃により被粉砕物を往復動させながら粉体化する工程と、を有することを特徴とする被粉砕物の粉砕方法。
【発明の詳細な説明】
【技術分野】
【０００１】
本発明は、粉砕機、複数台の粉砕機を用いる粉砕システム及びそれらを用いる粉砕方法に係わり、特に、木材、石炭、竹材などの被粉砕物を粉体化するのに適した粉砕機、複数台の粉砕機を用いる粉砕システム及びそれを用いる粉砕方法に関するものである。
【背景技術】
【０００２】
先の大震災などで発生した大量の瓦礫の中には再生処理によって再利用可能なものが多く含まれており、再利用できるものを瓦礫の中から取り出して処理することが日本では強く望まれている。
また、食用に使用可能であるが、固くて実際には利用できていない植物を粉砕することにより、食用に利用できる可能性があるため、そのような植物の粉砕方法及び粉砕装置の開発が求められている。
【０００３】
さらに、地球温暖化対策の一環としてバイオマスをエネルギーに変換することにより得られるバイオマスエネルギーを利用することも望まれている。既に海外では、トウモロコシなどの穀物から得られるデンプンや砂糖を原料とし、バイオエタノールを製造するプロセスが実用化されている。
しかし、トウモロコシなどの穀物を原料としたバイオエタノールの生産コストは高いうえ、そのような原料は食料と競合するという問題があった。この為、トウモロコシなどの穀物以上に大量かつ安価なバイオエタノール生産原料として、最近は食料と競合しないバイオマスが注目されている。
【０００４】
このようなバイオマスとしては、トウモロコシ茎葉、建築廃材、林地残材、間伐材、木片などが知られている。また、バイオマスからバイオエタノールを製造するためには、前処理として各種バイオマスを粉体化する必要があるが、一般的なカッターミルでは目標とする粒径まで粉砕できないという問題があった。また、衝撃式粉砕機を用いると目標とする粒径に達することができるが、被粉砕物を粉砕部へ供給する効率が悪いため処理量が少ないという問題があった。このため、例えば、カッターミルで一次粉砕し、その後、衝撃式粉砕機で目標とする粒径まで粉体化するというように複数種の粉砕機を用いた多段粉砕方式などが採用されている。
【０００５】
一方、複数の切削加工用チップソーを積層して略円柱体に構築された回転切削刃を用い、竹をミクロン単位まで粉体化する装置が特許文献１に開示されている。この装置は、基台部に支持された回転駆動源と、その回転駆動源の回転駆動作用の下で一定の方向に回転する回転切削歯を有する回転切削機構と、竹の直径に対応して切削加工部位を位置決めすると共に竹の切削加工部位を回転切削刃に接触するように案内する位置決めガイド機構とから構成されている。
【先行技術文献】
【特許文献】
【０００６】
【特許文献１】特許第３９６７９３１号公報
【発明の概要】
【発明が解決しようとする課題】
【０００７】
然しながら、特許文献１で開示された装置は、竹をミクロン単位にまで粉体化することができるものの、長い竹をそのまま回転切削刃の側面に押し付けて順次削っていくような構成になっている。このため、木片のような小さなものを回転切削刃の側面に押しつけることができず、被粉砕物を粉体化することができないという問題があった。
本発明は、このような従来例の問題などに鑑みて成されたものであり、その目的は、木材、石炭、竹材などの被粉砕物を粉体化することのできる粉砕機、複数台の粉砕機を用いる粉砕システム及びそれらを用いて被粉砕物を効果的に粉体化する方法を提供することにある。
【課題を解決するための手段】
【０００８】
本明細書では以下の発明が提供される。
（１）ケーシング内で長手方向に配設された駆動軸と、当該駆動軸に固設され全体として螺旋状に形成された第１送り刃と、前記駆動軸に固設され全体として螺旋状に形成された複数個の第２送り刃と、前記第２送り刃同士の間で前記第２送り刃と反対方向に被粉砕物を送る角度で固設された複数個の戻し刃と、前記ケーシングに設けられた原料投入口及び取出口とを備え、前記原料投入口から投入された被粉砕物を前記第１送り刃により第２送り刃方向に移動させ、前記第２送り刃と前記戻し刃で粉体化し、前記取出口から取り出すことを特徴とする粉砕機。ここで長手方向とは、ケーシングの最も長い辺の方向を指称し、例えば円筒形のケーシングが水平方向に設置される場合は水平方向を意味するものとする。
【０００９】
（２）更に、前記第１送り刃と前記第２送り刃の境界部分に前記駆動軸に固設された仕切り板を設けたことを特徴とする（１）記載の粉砕機。
（３）前記第１送り刃は捩れた円板形の形状になっていることを特徴とする（１）又は（２）に記載の粉砕機。
【００１０】
（４）前記第２送り刃は捩れた羽根形の形状になっており、前記戻し刃は楔形の形状になっていることを特徴とする（１）乃至（３）のいずれかに記載の粉砕機。
（５）前記戻し刃が前記複数個の第２送り刃の各間隙に所定の方向へ突き出すようにして前記駆動軸に固設されていることを特徴とする（１）乃至（４）のいずれかに記載の粉砕機。即ち、複数個の戻し刃はそれぞれ複数個の第２送り刃の各間隙に固設され、第２送り刃が奥側に被粉砕物を送るのとは逆方向に被粉砕物を送る角度となるように設置されている。ここで所定の方向とは、送り刃とは逆の角度、典型的には軸に垂直な面に対して、送り刃とは対称の角度（ハの字となるような角度）が好ましいが、戻し刃の形状や、被粉砕物の性質に応じて最適な角度を選択することができる。また、戻し刃の設置位置は第２送り刃の切欠部の延長線上に設置するのが好ましいが、駆動軸に螺旋刃がついている場合は、その螺旋刃にブリッジをかけてその上に戻し刃を設置してもよいものとする。
【００１１】
（６）（１）乃至（５）のいずれか１項に記載の粉砕機を複数台連結したことを特徴とする粉砕システム。
（７）（６）の粉砕システムであって、原料投入口、第１回転刃部、第２回転刃部及び取出口を有する第１粉砕機と、投入口、第３回転刃部、第４回転刃部及び取出口を有する第２粉砕機と、前記第１粉砕機の取出口と前記第２粉砕機の投入口とを連通させる連絡部と、当該連絡部に設けられ前記第１粉砕機の取出口の開閉を行う開閉機構とを具備し、前記第１粉砕機で粉体化された被粉砕物を前記連絡部を介し前記第２粉砕機に導いて微粉化することを特徴とする二連式の粉砕システム。
【００１２】
（８）更に、前記第１回転刃部と前記第２回転刃部の間に仕切り部を設けたことを特徴とする（６）又は（７）に記載の粉砕システム。
（９）更に、前記第３回転刃部と前記第４回転刃部の間に仕切り部を設けたことを特徴とする（７）乃至（８）のいずれか１に記載の粉砕システム。
（１０）前記第１回転刃部と前記第３回転刃部は、長手方向に配設された駆動軸に固設され全体として螺旋状に形成された複数個の送り刃で構成されていることを特徴とする（６）乃至（９）のいずれか１に記載の粉砕システム。
【００１３】
（１１）前記第２回転刃部及び／又は前記第４回転刃部は、長手方向に配設された駆動軸に固設され全体として螺旋状に形成された複数個の送り刃と、それらの送り刃とは反対方向に被粉砕物を送る角度で固設された複数個の戻し刃とから構成されていることを特徴とする（６）乃至（１０）のいずれか１に記載の粉砕システム。
（１２）前記開閉機構は、覗き窓が設けられた開閉機構本体と、第１粉砕機の取出口を開閉させる蓋と、当該蓋を移動させるためのハンドルと、所定部分にネジが設けられ前記ハンドルの操作に応じて前記蓋を移動させる回転軸とから構成されていることを特徴とする（６）〜（１１）のいずれか１に記載の粉砕システム。ここで所定部分とは、取出口を開閉させる蓋とハンドルを連結する部分をいうが、連結する部分の全部がネジである必要はなく、一部にネジが設けられていればよい。
【００１４】
（１３）被粉砕物を粉砕機に投入する工程と、第１送り刃で被粉砕物を第２送り刃方向に送り出す工程と、第２送り刃と戻し刃により被粉砕物を往復動させながら粉体化する工程と、を有することを特徴とする被粉砕物の粉砕方法。
【発明の効果】
【００１５】
本発明に係る粉砕機、複数台の粉砕機を用いる粉砕システム及び被粉砕物を粉体化する方法によれば、木材や石炭などの被粉砕物を効率的に粉体化することができる。
【図面の簡単な説明】
【００１６】
【図１】図１は、本発明実施例の概略的な構成断面図である（実施例１）。
【図２】図２は、ケーシング内で駆動軸に固設されている送り刃や戻し刃を説明するための構成説明図である（実施例１）。
【図３】図３は、本実施例に係る第１送り刃の１つを説明する構成説明図である（実施例１）。
【図４】図４は、本実施例に係る第２送り刃の１つを説明する構成説明図である（実施例１）。
【図５】図５は、本実施例に係る戻し刃の１つを説明する構成説明図である（実施例１）。
【図６】図６は、本実施例に係る第２送り刃と戻し刃の位置関係を示す説明図である（実施例１）。
【図７】図７は、本発明の粉砕システムに係る実施例を示す構成斜視図である（実施例２）。
【発明を実施するための形態】
【００１７】
本発明に係る粉砕機は、木材、石炭、或いは竹材等からなる被粉砕物をケーシング内で送り刃と戻し刃により、効率よく粉砕するものである。ケーシングは典型的には略円筒形の閉塞容器が好ましく用いられるが、これに限られず、例えば、四角柱、五角柱等の多角柱、多角柱と円筒形の組み合わせ等の形態であってもよい。
【００１８】
原料投入口からケーシング内に投入された被粉砕物は、第１送り刃によりケーシング内の奥方向（第２送り刃の方向）に送られる。その後、第２送り刃で更に奥方向（取出し口方向）に送られながら粉砕されると共に、戻し刃で投入口方向に戻されながら粉砕される。これにより、送り刃のみでは十分粉砕できない木材等も細かく粉砕できる。  
【００１９】
本発明に係る粉砕機を木材等の固い物質を粉砕する用途に用いる場合、送り刃や戻し刃は厚くすることが好ましく、補強するためにブリッジ又はスティバーを溶接してもよい。それに対して、本発明に係る粉砕機でより柔らかい物質（石炭など）や一次粉砕物（粗く粉砕した物）等を粉砕する場合は送り刃や戻し刃を、より薄い刃とすることができる。
【００２０】
送り刃や戻し刃の厚さは、いずれも１０ｍｍ〜５０ｍｍ、より好ましくは、１５ｍｍ〜３０ｍｍ、特に好ましくは１５ｍｍ〜２５ｍｍであるが、原材料の固さ、粗粉砕か、仕上げの微細粉砕か、等により、適宜厚さを調整することが好ましい。
【００２１】
以下、本発明を実施例により図を参照しながら詳しく説明するが、本発明はこれらの実施例によって限定されるものではない。
【実施例１】
【００２２】
図１は本実施例の概略的な構成断面図であり、図中、１は粉砕機の外形などを構成するケーシング、２はケーシング１の例えば左側上部に設けられ、木材、石炭、竹材などの被粉砕物が投入される原料投入口、３はケーシング１の例えば右側下部に設けられ粉体化された被粉砕物がケーシング１内から取り出される取出口、４はケーシング１内で例えば長手方法に配設された駆動軸、５は図示しない制御装置から送出された駆動信号を受け駆動軸４を回転させるモータ、６は駆動軸４に固設され全体として螺旋状に形成された一連の第１送り刃から成る第１回転刃部、７は仕切り板から成る仕切り部、８は駆動軸４に固設され全体として螺旋状に形成された複数個の第２送り刃及びこれらの第２送り刃とは反対方向に被粉砕物を送る角度で駆動軸４に固設された複数個の戻し刃で構成された第２回転刃部である。
【００２３】
尚、ケーシング１内には、上述の如く駆動軸４が長手方向に配置され、その駆動軸４の両端部は、ケーシング１を貫通して延設され、ケーシング１の両端部にそれぞれ設けられている軸受４１,４２によってそれぞれ支持されている。また、第２回転刃部８の戻し刃が効果的に作用し被粉砕物が第１回転刃部６に戻ることが全くない場合には、仕切り部７を取り除いて粉砕機を構成できるものとする。
【００２４】
図２〜図６は上記送り刃や戻し刃などを詳しく説明するための構成説明図であり、図１と同一記号は同一意味をもたせて使用し、ここでの重複説明は省略する。
【００２５】
また、図２は上記ケーシング１内で駆動軸４に固設されている送り刃などを詳しく説明するための構成説明図であり、図中、６a〜６nは駆動軸４に固設されている第１送り刃、７１は図１の仕切り部７を構成している仕切り板であって、例えば大判形の形状となっている。また、８a〜８nは駆動軸４に第２送り刃、９a〜９nは第２送り刃８a〜８nの各間隙で所定の方向へ突き出すようにして駆動軸４に固設されている戻し刃である。
【００２６】
ここで、所定の方向とは、戻し刃９a〜９nが被粉砕物を逆方向に戻すことができるような方向や角度のことであり、戻し刃９a〜９nは被粉砕物を入口方向に戻しながら粉砕するようになっている。これは、第２送り刃８a〜８nにより粉砕物が奥（取出し口方向の奥）に押しつけられて固まるのを防止すると共に、逆方向へ戻しながら粉砕することで被粉砕物をより細かく粉砕するためのものである。
【００２７】
典型的には、第２送り刃８a〜８nの送り刃の送る力と戻し刃９a〜９nの戻す力がほぼ同じである時に、被粉砕物を最も効率よく粉砕できる。また、図２で示すように、第１送り刃６a〜６nの隣同士の各間隔（例えば２００mm）は、通常、第２送り刃８a〜８nの隣同士の各間隔（例えば１６０mm）よりもそれぞれ広くなっていることが好ましい。
【００２８】
図３は第１送り刃６a〜６nの１つを詳しく説明する構成説明図、図４は第２送り刃８a〜８nの１つを詳しく説明する構成説明図、図５は戻し刃９a〜９nの１つを詳しく説明する構成説明図、図６は第２送り刃８a〜８nと戻し刃９a〜９nの位置関係を示す説明図である。
【００２９】
図２及び図３において、６１は第１送り刃６a〜６nの１つを構成する送り刃であって、例えば円板状の板が捩れた円板形の形状になっている。図２及び図３で示すように、第１送り刃６a〜６nは駆動軸４に固設され全体として螺旋形になっている。また、図３で示すように送り刃６１の所定部分（例えば周縁部分や先端部分など）に刃が形成されている。
【００３０】
図２及び図４において、８１は第２送り刃８a〜８nの１つを構成している送り刃であって、通常、切欠部が設けられている。このように切欠部を設けられているのは、第２送り刃８a〜８nが送り刃としての送る機能が強すぎると被粉砕物がケーシング１の奥で固まってしまうためである。また、図４で示すように送り刃８１の所定部分（例えば周縁部８２など）に刃が形成されている。更に、図２及び図４で示すように、第２送り刃８a〜８nは駆動軸４に固設され全体として螺旋形になっている。即ち、第２送り刃８a〜８nを構成する各送り刃８１は、例えば縦断面が扇形の形状で外形が捩れた羽根形の形状になっており、第２送り刃８a〜８n全体として螺旋形になっている。
【００３１】
図２及び図５において、９１は戻し刃９a〜９nの１つを構成している戻し刃であって、例えば楔形の形状となっている。
図２及び図５が示すように、戻し刃９a〜９nは第２送り刃８a〜８nの向き（図２の右方向）とは反対の方向（図２の左方向）へ一定の角度で突き出すようにして駆動軸４に固設されている。ここで、一定の角度とは、例えば、第２送り刃８a〜８nが奥側に被粉砕物を送るのとは逆方向に被粉砕物を送るように設置された戻し刃９a〜９nの各設置角度を意味するものとする。
【００３２】
なお、図２の仕切り板７１には刃が形成されていないことが多い。また、図６が示すように、第２送り刃８a〜８nを構成している各送り刃８１と戻し刃９a〜９nを構成している各送り刃９１は互い違いの位置関係になっていると共に、各送り刃８１の高さと各送り刃９１の高さはそれぞれ等しくなっている。すなわち、第２送り刃８a〜８nも戻し刃９a〜９nも全体としては螺旋状の刃であり、それぞれの回転軌跡の直径が等しくなっている。
【００３３】
以上のような構成から成る本実施例において、図示しない制御装置の始動スイッチがオンにされると、その制御装置から送出された駆動信号を受けて図１のモータ９が回転する。このため、ケーシング１内で駆動軸４が回転し、それに伴って第１送り刃６a〜６nや第２送り刃８a〜８nなどが回転し始める。
【００３４】
この状態で、原料投入口２から被粉砕物がケーシング１内に投入されると、その被粉砕物が、回転する第１送り刃６a〜６nの各間隙に導かれて回転しながら、仕切り板７１を通って第２送り刃８a〜８nに送られる。その後、被粉砕物は、回転する第２送り刃８a〜８nや戻し刃９a〜９nで形成されている各間隙に導かれて回転と往復動を繰り返しながら粉体化される。
【００３５】
即ち、被粉砕物は、第２送り刃８a〜８nの作用で回転しながら図２の右方向（取出し口方向）に送られ第２送り刃８２によって砕かれ、戻し刃９a〜９nの作用で図２の左方向（投入口方向）に戻されながら各戻し刃９１によって砕かれて、最終的に粉体化される。すなわち、第２送り刃８a〜８n及び戻り刃９a〜９nのうち隣り合う第２送り刃と戻し刃で間隙が形成されており、その間隙内の被粉砕物は、第２送り刃や戻し刃の各刃の側面で作用する圧縮力、剪断力、衝撃力、及び摩擦力などにより、砕かれて、最終的に粉体化される。換言するならば、第２送り刃８a〜８nによる送る力と戻し刃９a〜９nによる戻す力が効果的に作用し、第２送り刃８a〜８nと戻し刃９a〜９nの各間隙内で被粉砕物が回転と往復動を繰り返しながら粉体化される。このようにして粉体化された被粉砕物は、最終的に取出口３からケーシング１の外へ取り出される。
【実施例２】
【００３６】
図７は本発明の粉砕システムに係わる実施例を示す構成斜視図であり、図中、１０，３０は第１，第２の粉砕機、１１は第１粉砕機１０に設けられている原料投入口、１２は第１粉砕機１０内に設けられ例えば前述の第１送り刃６a〜６nで構成されている第１回転刃部、１３は第１粉砕機１０内で第１回転刃部１３と第２回転刃部１４の間に設けられている第１仕切り部、１４は第１粉砕機１０内に設けられ例えば前述の第２送り刃８a〜８n及び戻し刃９a〜９nで構成されている第２回転刃部、１５は第１粉砕機１０に設けられている取出口、２０は第１粉砕機１０の取出口１５と後述の投入口３１を連通させる連絡部、２１は連絡部２０に設けられた覗き窓、３２は第２粉砕機３０内に設けられ例えば前述の第１送り刃６a〜６nで構成されている第３回転刃部、３３は第２粉砕機３０内で第３回転刃部３２と後述の第４回転刃部３４の間に設けられている第２仕切り部、３４は第２粉砕機３０内に設けられ例えば前述の第２送り刃８a〜８n及び戻し刃９a〜９nで構成されている第４回転刃部、３５は第２粉砕機３０に設けられている取出口、３６は連絡部２０内で往復動して第１粉砕機１０の取出口１５を開閉する蓋、３７は蓋３６を往復動させるためのハンドル、３８は所定部分にネジなどが設けられハンドル３７の操作に応じて例えば図７の手前方向と背面方向に蓋３６を往復動させる回転軸である。
【００３７】
なお、第１回転刃部１２、第１仕切り部１３及び第２回転刃部１４は第１粉砕機１０内で長手方向に配置された第１駆動軸（図示せず）に装着されており、第３回転刃部３２、第２仕切り部３３及び第４回転刃部３４は第２粉砕機３０内で長手方向に配置された第２駆動軸（図示せず）に装着されている。また、第２回転刃部１４の戻し刃及び／又は第４回転刃部３４の戻し刃が効果的に作用し被粉砕物がそれぞれ第１回転刃部１２及び／又は第３回転刃部３２に戻るようなことが全くない場合には、第１仕切り部１３及び／又は第２仕切り部３３を全く取り除いて第１粉砕機１０及び／又は第２粉砕機３０を構成できるものとする。
【００３８】
図７において、最初にハンドル３７が例えば時計方向に回されると、軸３８を介して蓋３６が図７の背面方向（取出口１５の方向）へ移動して取出口１５を塞ぐ。この状態で、制御装置の第１始動スイッチ（図示せず）がオンにされると、その制御装置から送出された駆動信号を受け、第１粉砕機１０の第１モータ（図示せず）が回転する。このため、第１駆動軸（図示せず）が回転し、それに伴って、第１回転刃部１２，第１仕切り部１３及び第２回転刃部１４が回転する。
【００３９】
その後、図７の原料投入口１１から被粉砕物が第１粉砕機１０内に投入されると、その被粉砕物が、第１回転刃部１２により回転しながら、第１仕切り部１３を通って第２回転刃部１４に送られて粉体化される。なお、この粉砕工程に要する時間は材料により異なる。石炭の場合は約５分間、木材、竹材の場合は約３０分間程度であるが、材料の固さ、量等により、予備実験をして最適な時間を決定することが望ましい。
【００４０】
その後、ハンドル３７が反時計方向に回されると、軸３８を介して蓋３６が図７のハンドル３７方向（図７の手前方向）へ移動して取出口１５が開となる。このため、第１粉砕機１０で粉体化された被粉砕物が取出口１５から連絡部２０及び投入口３１を通って第２粉砕機３０に移動する。
この状態で、制御装置の第２始動スイッチ（図示せず）がオンにされると、その制御装置から送出された駆動信号を第２粉砕機３０の第２モータ（図示せず）が受けて回転し始める。それに伴って、第３転刃部３２，第２仕切り部３３及び第４回転刃部３４が回転する。
【００４１】
このため、連絡部２０及び投入口３１を通って第２粉砕機３０に移動していた被粉砕物は、第３回転刃部３２で回転しながら第4回転刃部方向に送られ、第２仕切り部３３を通って第４回転刃部３４で更に粉体化される。
このようにして、第１粉砕機１０で粉体化された被粉砕物は第２粉砕機３０で更に粉体化され、微細な粉状物となって第２粉砕機３０の取出口３５から外部に取り出される。
【００４２】
なお、本発明は上述の実施例に限定されることなく、種々の変形が可能であり、例えば、次のI〜VIIIのように変形しても良いものとする。
I  図７における第２粉砕機３０の下流に３台目の粉砕機も更に直列接続するなどといったように複数台の粉砕機を直列的に接続して使用することにより、更に一層微細な粉体物を得る。
II  第２送り刃８a〜８nの各送り刃８１の形状を、図４の場合と異なる他の形状（例えば逆Ｖ字状、逆Ｗ字状或いは三つ剣形などの形状）とする。
III  図１のケーシング１内において駆動軸４の長手方向と直交する方向に、例えば横断面が四角形の棒状部材であるガイドバー（図示せず）を複数個配設し、第１送り刃６a〜６nや第２送り刃８a〜８nと一緒に作用させて被粉砕物の粉体化効率を向上させる。
IV  原料投入口２及び／又は取出口３，３５などに自動搬送装置を設置し、原料投入口２に被粉砕物を自動的に投入したり取出口３，３５から粉体物を自動的に取り出したりする。
V  図１のモータ５を可変型モータとし上記制御装置から送出される駆動信号に従って回転速度や回転方向が変えられるようにする。
VI  第２送り刃８a〜８nは、各送り刃８１の先端部分にブリッジ（又はスティバー）を接続し、その先端部分に各刃８２を装着する。
VII  図２の第２送り刃８a〜８nの各送り刃８１の形状を図４と異なる他の形状（例えば三つ剣形の形状など）にし、その周縁部分にブリッジ（又はスティバー）を接続し、それを介して各送り刃８１にそれぞれの刃８２を形成する。
VIII  第２送り刃８a〜８nで、隣り合う各送り刃８１の端部の上に、それぞれの刃８２を形成する。
【産業上の利用可能性】
【００４３】
本発明によれば、従来粉砕が困難であった木材片等を粉砕できることから、燃料関連産業、食品関連産業で利用することができる。
【符号の説明】
【００４４】
１    ケーシング
２    原料投入口
３，１５，３５    取出口
４    駆動軸
６，１２    第１回転刃部
６a〜６n    第１送り刃
７，１３，３３    仕切り部
７１    仕切り板
８a〜８n    第２送り刃
９a〜９n    戻し刃
１０，３０    第１，第２の粉砕機
１４    第２回転刃部
２０    連絡部
２１    覗き窓
３２    第３回転刃部
３４    第４回転刃部
【図１】
2014151222.tif 000003
【図２】
2014151222.tif 000004
【図３】
2014151222.tif 000005
【図４】
2014151222.tif 000006
【図５】
2014151222.tif 000007
【図６】
2014151222.tif 000008
【図７】
2014151222.tif 000009